(57)【要約】【課題】光学系にキズが発生することを防止できる光学系保持枠及び光学機器を提供する。【解決手段】光学系保持枠（５）は、光学系（４−１，４−２）を保持する保持部（５ａ）と、保持部（５ａ）から、光学系（４−１，４−２）の入射側又は射出側の一方の端部（４ａ）よりも入射側又は射出側の他方まで形成され、光学系（４−１，４−２）を固定する固定部（５ｂ）と、保持部（５ａ）から、端部（４ａ）よりも入射側又は射出側の一方まで形成された突起部（５ｄ）とを含む。【選択図】図３
2008158333.tif 000002
【特許請求の範囲】
【請求項１】
光学系を保持する保持部と、
前記保持部から、前記光学系の入射側又は射出側の一方の端部よりも前記入射側又は射出側の他方まで形成され、前記光学系を固定する固定部と、
前記保持部から、前記端部よりも前記入射側又は射出側の一方まで形成された突起部とを含むこと
を特徴とする光学系保持枠。
【請求項２】
光学系を保持する保持部と、
前記光学系の入射側の端部よりも射出側から前記保持部まで形成され、前記光学系を固定する固定部と、
前記光学系の前記端部よりも入射側から前記保持部まで形成された突起部とを含むこと
を特徴とする光学系保持枠。
【請求項３】
光学系を保持する保持部と、
前記光学系の射出側の端部よりも入射側から前記保持部まで形成され、前記光学系を固定する固定部と、
前記光学系の前記端部よりも射出側から前記保持部まで形成された突起部とを含むこと
を特徴とする光学系保持枠。
【請求項４】
請求項１から請求項３までのいずれか１項に記載された光学系保持枠であって、
前記固定部は、かしめにより前記光学系を固定していること、
を特徴とする光学系保持枠。
【請求項５】
請求項１から請求項４までのいずれか１項に記載された光学系保持枠であって、
前記突起部は、前記光学系の外周近傍に形成されていること、
を特徴とする光学系保持枠。
【請求項６】
請求項１から請求項５までのいずれか１項に記載された光学系保持枠であって、
前記光学系に対して、前記固定部と反対側の位置に配置され、前記固定部とは別の固定部を備えること、
を特徴とする光学系保持枠。
【請求項７】
請求項１から請求項６までのいずれか１項に記載された光学系保持枠を備える光学機器。
【発明の詳細な説明】
【技術分野】
【０００１】
本発明は、光学系保持枠及び光学機器に関するものである。
【背景技術】
【０００２】
従来のレンズ鏡筒として、レンズの倒れを防ぎ、隣接する他のレンズに倒れ等の悪影響を及ぼさないようにしたレンズ鏡筒が知られている。例えば、特許文献１が知られている。
従来のレンズ鏡筒では、レンズの形状が凸の場合、例えば、作業中にレンズ側を下にして置くと、そのままではレンズの先端部等にキズが発生してしまう可能性があった。
【特許文献１】特開平１１−３３７７９４号公報
【発明の開示】
【発明が解決しようとする課題】
【０００３】
本発明の課題は、光学系にキズが発生することを防止できる光学系保持枠及び光学機器を提供することである。
【課題を解決するための手段】
【０００４】
本発明は、以下のような解決手段により前記課題を解決する。なお、理解を容易にするために、本発明の一実施形態を示す図面に対応する符号を付して説明するが、これに限定されるものではない。
請求項１の発明は、光学系（４−１，４−２）を保持する保持部（５ａ）と、前記保持部（５ａ）から、前記光学系（４−１，４−２）の入射側又は射出側の一方の端部（４ａ）よりも前記入射側又は射出側の他方まで形成され、前記光学系（４−１，４−２）を固定する固定部（５ｂ）と、前記保持部（５ａ）から、前記端部（４ａ）よりも前記入射側又は射出側の一方まで形成された突起部（５ｄ）とを含むことを特徴とする光学系保持枠（５）である。
請求項２の発明は、光学系（４−１，４−２）を保持する保持部（５ａ）と、前記光学系（４−１，４−２）の入射側の端部（４ａ）よりも射出側から前記保持部（５ａ）まで形成され、前記光学系（４−１，４−２）を固定する固定部（５ｂ）と、前記光学系（４−１，４−２）の前記端部（４ａ）よりも入射側から前記保持部（５ａ）まで形成された突起部（５ｄ）とを含むことを特徴とする光学系保持枠（５）である。
請求項３の発明は、光学系（４−１，４−２）を保持する保持部（５ａ）と、前記光学系（４−１，４−２）の射出側の端部よりも入射側から前記保持部（５ａ）まで形成され、前記光学系（４−１，４−２）を固定する固定部（５ｃ）と、前記光学系（４−１，４−２）の前記端部よりも射出側から前記保持部（５ａ）まで形成された突起部とを含むことを特徴とする光学系保持枠である。
請求項４の発明は、請求項１から請求項３までのいずれか１項に記載された光学系保持枠（５）であって、前記固定部（５ｂ）は、かしめにより前記光学系（４−１）を固定していること、を特徴とする光学系保持枠（５）である。
請求項５の発明は、請求項１から請求項４までのいずれか１項に記載された光学系保持枠（５）であって、前記突起部（５ｄ）は、前記光学系（４−１）の外周近傍に形成されていること、を特徴とする光学系保持枠（５）である。
請求項６の発明は、請求項１から請求項５までのいずれか１項に記載された光学系保持枠（５）であって、前記光学系（４−１，４−２）に対して、前記固定部（５ｂ）と反対側の位置に配置され、前記固定部（５ｂ）とは別の固定部（５ｃ）を備えること、を特徴とする光学系保持枠（５）である。
請求項７の発明は、請求項１から請求項６までのいずれか１項に記載された光学系保持枠（５）を備える光学機器（１，３）である。
なお、符号を付して説明した構成は適宜改良してもよく、また、少なくとも一部を他の構成物に代替してもよい。
【発明の効果】
【０００５】
本発明によれば、光学系にキズが発生することを防止できる光学系保持枠及び光学機器を提供することができる。
【発明を実施するための最良の形態】
【０００６】
以下、図面等を参照して、本発明の実施形態をあげて、さらに詳しく説明する。なお、本発明の光学機器は、例えば、スチルカメラ、ビデオカメラ、レンズ鏡筒等とすることができるが、以下の実施形態では、一眼レフ型のカメラを例にとって説明する。
【０００７】
［実施形態］
図１は、実施形態のカメラを示す模式図である。
カメラ１は、カメラボディ２と、レンズ鏡筒３とを備える。
カメラボディ２は、被写体の光学像を電気信号に変換する撮像素子２ａを備える。
レンズ鏡筒３は、カメラボディ２に着脱可能な交換レンズである。なお、本実施形態では、レンズ鏡筒３は、交換レンズである例を示したが、これに限らず、カメラボディと一体型のレンズ鏡筒としてもよい。
レンズ鏡筒３は、第１及び第２のレンズ４−１，４−２と、第１及び第２のレンズ４−１，４−２を保持するレンズ室５とを備える。なお、レンズ室５の詳細は後述する。
【０００８】
図２は、実施形態のレンズ室５の詳細を示す斜視図であり、図３は、図２のＸ−Ｘ線に沿った断面図である。
レンズ室５は、図３に示すように、レンズ筒５ａと、第１のかしめ部５ｂと、第２のかしめ部５ｃと、突起部５ｄとを備え、不図示の枠等と係合する大径部Ｃと、大径部Ｃの被写体側（図中、矢印Ａ方向側）に形成された小径部Ｄとを有する。
また、レンズ室５は、第１のレンズ４−１が被写体側（図中、矢印Ａ方向側）に、第２のレンズ４−２が撮影者（像面）側（図中、矢印Ｂ方向側；図１では、カメラボディ２側）となるようにレンズ鏡筒３内に配置されている。
なお、当然ながら、レンズ室５には、第１及び第２のレンズ４−１，４−２のみならず、他の部品が搭載される場合もあるが、本実施形態には影響がないため、省略している。
【０００９】
レンズ筒５ａは、両側凸の第１及び第２のレンズ４−１，４−２を保持する筒状の部分である。
また、レンズ筒５ａの内径側には、第１のレンズ４−１の受け部分となる第１のレンズ受け部５ａ−１と、第２のレンズ４−２の受け部分となる第２のレンズ受け部５ａ−２とが形成されている。
第１のかしめ部５ｂは、第１及び第２のレンズ４−１，４−２の光軸Ｏ方向でみて第１及び第２のレンズ４−１，４−２の最も一方側（図中、矢印Ａ方向側）の第１のレンズ４−１の先端部（頂点部）４ａよりも他方側（図中、矢印Ｂ方向側）からレンズ筒５ａまで形成され、熱容着等によるかしめによって、レンズ筒５ａに第１のレンズ４−１を固定する部分である。
第２のかしめ部５ｃは、レンズ筒５ａの撮影者側（図中、矢印Ｂ方向側）の先端であって、第１及び第２のレンズ４−１，４−２に対して、第１のかしめ部５ｂと光軸Ｏ方向で反対側の位置に設けられ、第１のかしめ部５ｂと同様のかしめによって、レンズ筒５ａに第２のレンズ４−２を固定する部分である。
【００１０】
突起部５ｄは、第１のレンズ４−１の外周近傍に、かつ、第１のレンズ４−１の先端部４ａよりも一方側（図中、矢印Ａ方向側）からレンズ筒５ａまで形成された部分である。
具体的には、突起部５ｄの先端部は、第１のレンズ４−１の先端部４ａに対して、必要な長さαだけ、第１のレンズ４−１の先端部４ａよりも突出している。なお、この長さαは、強度を保ちつつ、他の部材の邪魔にならないように、例えば、約５ｍｍ以下とすることが好ましい。
また、突起部５ｄは、図２に示すように、第１のかしめ部５ｂと略同一円周上に設けられている。
さらに、突起部５ｄは、略円周等分に３箇所設けられており、それぞれが同一の高さである。
【００１１】
次に、本実施形態のレンズ室５の製造方法について説明する。
まず、射出成形機を用いて、レンズ室５の原形を成形する。
ついで、レンズ室５の大径部Ｃ（図３参照）を下にしてレンズ室５を作業台上に設置し、第１のレンズ４−１をレンズ筒５ａに嵌め込んで、第１のかしめ部５ｂとなる部分をかしめる。
さらに、レンズ室５を作業台上で裏返し、レンズ室５の小径部Ｄを下にしてレンズ室５を作業台上に設置し、第２のレンズ４−２をレンズ筒５ａに嵌め込んで、第２のかしめ部５ｃとなる部分をかしめる。このとき、突起部５ｄが作業台に接触するので、第１のレンズ４−１が作業台に接触することはない。
このような工程を経て、図２及び図３に示すようなレンズ室５が完成し、このレンズ室５をレンズ鏡筒３に組み込むことによって、図１に示すようなカメラ１が完成する。
【００１２】
このように、本実施形態によれば、以下のような効果がある。
（１）突起部５ｄを設けているので、第１のレンズ４−１をかしめ固定した後に、第１のレンズ４−１を下にしてレンズ室５を作業台上に置いても、第１のレンズ４−１にはキズが付かない。また、輸送中等にも第１のレンズ４−１にキズが付くことを防止することができる。さらに、キズを防止するための専用工具も不要であり、レンズ室５の他の部分に突起を設ける必要もない。
（２）突起部５ｄを３箇所に設けているので、第１のレンズ４−１を下にしてレンズ室５を作業台上に置いても、レンズ室５を安定して作業台上に設置することができる。また、レンズ室５を安定して作業台上に設置することができるので、反対側の第２のかしめ部５ｃのかしめ作業を確実に行うことができる。
【００１３】
（３）第１及び第２のレンズ４−１，４−２は、かしめによって固定しているので、別部材を使用して固定する方法に比べて安価に製造することができる。
（４）３箇所の突起部５ｄは、それぞれが同一の高さであるので、レンズ室５の設置がより安定する。
【００１４】
（５）仮に、第１のかしめ部５ｂと略同一円周上以外の部分であるレンズ室５の前面５ｅ（図２参照）に保護用の突起部を設ければ、他の取り付け部材の形状の制限となるが、本実施形態では、突起部５ｄは、第１のかしめ部５ｂと略同一円周上に設けているので、レンズ室５の前面５ｅに取り付ける部材の形状は制限されず、設計自由度が向上する。したがって、レンズ室５の形状に大きな影響を与えずに、レンズの保護ができるレンズ室５を提供することができる。
（６）各レンズにキズが発生することを防止できるレンズ室５を備えさせることによって、光学性能のよいカメラ１やレンズ鏡筒３を提供することができる。
【００１５】
［変形形態］
上述した実施形態は、以下の変形も可能である。
（１）突起部５ｄは、３箇所に設ける例で説明したが、例えば、４箇所以上設けてもよい。また、突起部５ｄを、例えば、１箇所又は２箇所だけに設けても、レンズのキズを防止する機能を発揮し得る。突起部５ｄの数は、かしめの都合と、設置目的によってバランスをとればよい。
（２）各レンズは、かしめによって固定する例で説明したが、接着等の他の固定方法によって固定してもよい。
【００１６】
（３）各レンズは、例えば、レンズ群、反射鏡等の光学系であってもよい。また、光学系は、レンズに限定されるものではなく、平行平面ガラス等であってもよい。
（４）かしめは、熱溶着によるかしめの例で説明したが、機械的に変形させる通常のかしめであってもよい。
【００１７】
（５）図４は、変形形態のレンズ室５−１を示す断面図である。なお、上述した実施形態と同様な機能を果たす部分は、重複する説明を適宜省略する。
例えば、突起部５ｄは、超音波モータやフレアしぼり等の他の部品６を取り付ける部分として利用してもよい。このようにすれば、突起部５ｄを他の用途として利用することができる。
（６）図５は、他の変形形態のレンズ室５−２を示す断面図である。
例えば、突起部５ｄは、射出成形機のエジェクターピンによって押される領域５ｆとして利用してもよい。このようにしても、突起部５ｄを他の用途として利用することができる。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００１８】
【図１】実施形態のカメラを示す模式図である。
【図２】実施形態のレンズ室５の詳細を示す斜視図である。
【図３】図２のＸ−Ｘ線に沿った断面図である。
【図４】変形形態のレンズ室５−１を示す断面図である。
【図５】他の変形形態のレンズ室５−２を示す断面図である。
【符号の説明】
【００１９】
１：カメラ、２：カメラボディ、３：レンズ鏡筒、４：レンズ、４−１：第１のレンズ、４−２：第２のレンズ、４ａ：先端部、５，５−１，５−２：レンズ室、５ａ：レンズ筒、５ｂ：第１のかしめ部、５ｃ：第２のかしめ部、５ｄ：突起部、Ｏ：光軸
【図１】
2008158333.tif 000003
【図２】
2008158333.tif 000004
【図３】
2008158333.tif 000005
【図４】
2008158333.tif 000006
【図５】
2008158333.tif 000007